(57)【要約】      （修正有）【課題】トリガー部と押圧部との間に存在する所定のキーストロークが異なり、様々なゲームのニーズに応じて使用可能になるゲームコントローラーのトリガキー構造を提供する。【解決手段】トリガキー構造は、ゲームコントローラーのハウジングに装設され、ハウジングに枢着されると共にハウジングの表面から突出し、初期位置とトリガー位置との間で揺動可能な押圧部４０と、ハウジング内に装設され、押圧部に対向するように設置されるトリガー部６０と、トリガー部に連結されるキーストローク調整部７０とを備え、押圧部が初期位置にある場合、トリガー部と押圧部との間には所定のキーストロークが存在し、押圧部が押圧されると、押圧部が初期位置からトリガー位置に向けて揺動すると共にトリガー部に当接されてトリガーされ、キーストローク調整部は、複数段の調整位置を有し、キーストローク調整部が異なる段の調整位置にある場合、トリガー部と押圧部との間に存在する所定のキーストロークが異なる。【選択図】図１２
0003217372.tif 000002
【実用新案登録請求の範囲】
【請求項１】
ゲームコントローラーのハウジングに装設されるゲームコントローラーのトリガキー構造であって、
前記ハウジングに枢着されると共に前記ハウジングの表面から突出し、初期位置とトリガー位置との間で揺動可能である押圧部と、
前記ハウジング内に装設され、前記押圧部に対向するように設置されるトリガー部と、
前記ハウジング内に装設され、前記トリガー部に連結されるキーストローク調整部と、を備え、
前記押圧部が前記初期位置にある場合、前記トリガー部と前記押圧部との間には所定のキーストロークが存在し、前記押圧部が押圧されると、前記押圧部が前記初期位置から前記トリガー位置に向けて揺動すると共に前記トリガー部に当接されてトリガーされ、
前記キーストローク調整部は、複数段の調整位置を有し、前記キーストローク調整部が異なる段の前記調整位置にある場合、前記トリガー部と前記押圧部との間に存在する前記所定のキーストロークが異なることを特徴とする、
ゲームコントローラーのトリガキー構造。
【請求項２】
前記ゲームコントローラーは、前記ゲームコントローラーの前記ハウジングに内設されるメインボードを備え、前記トリガー部はキー用回路基板及び導電ペーストボタンを含み、前記キー用回路基板は前記メインボードに電気的に接続され、前記導電ペーストボタンは前記キー用回路基板における前記押圧部に対向する側面に設置され、前記押圧部が前記導電ペーストボタンに当接されることにより前記キー用回路基板の回路がトリガーされることを特徴とする請求項１に記載のゲームコントローラーのトリガキー構造。
【請求項３】
前記トリガー部は、前記導電ペーストボタンを前記キー用回路基板に固持するための固持部材を更に備えることを特徴とする請求項２に記載のゲームコントローラーのトリガキー構造。
【請求項４】
前記キーストローク調整部は固定部と、摺動部と、調整ブロックと、復帰部材とを備え、前記固定部は前記ハウジングに固設され、前記摺動部は前記押圧部に対して摺動可能となるように前記固定部に装設され、前記トリガー部は前記摺動部に固設されると共に前記押圧部に対向する一側に設置され、前記摺動部における前記押圧部に対向する一側には傾斜する調整面が設けられ、前記調整面には複数段の前記調整位置に対応するように複数の位置決め係合溝が間隔を置いて設けられ、前記調整ブロックは本体部を含み、前記本体部は横方向に摺動可能となるように前記固定部の下方に装設され、前記本体部には前記調整面に対向する凸部が凸設され、複数段の前記調整位置の内の１つの調整位置において、前記凸部は前記位置決め係合溝内に収容され、前記復帰部材は前記摺動部に設置され、前記摺動部を復帰させることを特徴とする請求項１に記載のゲームコントローラーのトリガキー構造。
【請求項５】
前記固定部の中間部には収容溝が凹設され、前記収容溝の両側壁には滑り溝が開設され、前記摺動部は前記収容溝内に装設される底板を有し、前記底板の両側は前記滑り溝内に装設され、前記底板には直立板が凸設され、前記調整面は前記直立板における前記押圧部に対向する側面に設置され、前記直立板における前記押圧部に対向する側面には固定溝が開設され、前記トリガー部は前記固定溝内に係合されることを特徴とする請求項４に記載のゲームコントローラーのトリガキー構造。
【請求項６】
前記直立板における前記押圧部に対向する側面には台形を呈すると共に２つの傾斜面及び２つの前記傾斜面に連続される平面を備えるガイドブロックが凸設され、前記調整面は前記ガイドブロックの２つの前記傾斜面及び前記平面から内に向けて窪むように形成され、前記調整面の両端のそれぞれにおける前記直立板に連結される箇所には前記位置決め係合溝が設けられ、前記調整面における前記ガイドブロックの前記平面の箇所にも前記位置決め係合溝が設けられ、前記調整ブロックにおける前記ガイドブロックに対応する側面が内に向けて窪むようにガイド凹部が形成され、前記凸部は前記ガイド凹部の一側から凸設されるように形成され、複数段の前記調整位置の内の１つの調整位置において、前記ガイドブロックが前記ガイド凹部内に収容され、前記凸部は前記調整面の両端の対応する前期位置決め係合溝内に収容されることを特徴とする請求項５に記載のゲームコントローラーのトリガキー構造。
【請求項７】
前記キーストローク調整部は、上部カバー板及び４つの側板で囲まれるように形成されるカバー部を更に備え、前記カバー部は前記固定部、前記摺動部、前記調整ブロック、及び前記復帰部材の外部に覆設され、前記上部カバー板は前記固定部の上表面に設置され、前記４つの側板は前記固定部の４つの側面にそれぞれ覆設され、前記底板における前記押圧部に対向する側面の両側のそれぞれにはガイドピンが凸設され、前記復帰部材は２つのばねで構成され、前記２つのばねは前記ガイドピンにそれぞれ装設され、前記２つのばねの一端は前記底板にそれぞれ弾性当接され、前記２つのばねの他端は前記カバー部の対応する側板にそれぞれ弾性当接されることを特徴とする請求項５に記載のゲームコントローラーのトリガキー構造。
【請求項８】
前記固定部の両側面から外に向けて取付部がそれぞれ突出し、前記取付部には取付孔が開設され、前記カバー部における前記取付部に対応する側板には切欠部が開設され、前記取付部は前記切欠部から前記カバー部の外に突出することを特徴とする請求項７に記載のゲームコントローラーのトリガキー構造。
【請求項９】
前記２つのばねが弾性当接される側板には前記２つのガイドピンに対応するようにガイド孔がそれぞれ開設されることを特徴とする請求項７に記載のゲームコントローラーのトリガキー構造。
【請求項１０】
前記固定部の底面には前記収容溝に連通される位置限定スロットが開設され、前記底板の上表面には位置限定ブロックが凸設され、前記位置限定ブロックは前記位置限定スロット内に収容されることを特徴とする請求項５に記載のゲームコントローラーのトリガキー構造。
【請求項１１】
前記本体部には調整ボタンが設置され、前記調整ブロックは調整基板を有するキーストローク調整キャップを更に備え、前記調整基板の下表面の中央部には調整部が凸設され、前記調整基板の上表面には前記調整部に対応するように係合凸部が凸設され、前記係合凸部の上表面には内に向けて係合溝が開設され、前記調整基板は前記本体部の下方に設置され、前記調整ボタンは前記係合溝内に係合され、前記調整部は前記ハウジングから露出されることを特徴とする請求項４に記載のゲームコントローラーのトリガキー構造。
【考案の詳細な説明】
【技術分野】
【０００１】
本考案は、ゲームコントローラに関し、特に、キーストロークの調整が可能なゲームコントローラーのトリガキー構造に関する。
【背景技術】
【０００２】
図１は従来のゲームコントローラーのトリガキー構造を示す概略図である。図１に示す従来のゲームコントローラーのトリガキー構造は、押しキー１０’及びトリガー部２０’を備える。使用者が押しキー１０’を押して押しキー１０’をトリガー部２０’に当接させることにより、対応する操作指示が実行される。
【考案の概要】
【考案が解決しようとする課題】
【０００３】
ところが、従来のゲームコントローラーのトリガキー構造の押しキー１０’とトリガー部２０’との間のキーストロークは不変であり、キーストロークの調整ができない。使用者が異なる各種のゲームをプレイするために、押しキー１０’のキーストロークに対するニーズも異なる。
【０００４】
そこで、本考案者は上記の欠点が改善可能と考え、鋭意検討を重ねた結果、キーストロークの調整が可能なゲームコントローラーのトリガキー構造を見出した。
【０００５】
本考案はこうした状況に鑑みてなされたものであり、その目的は、ゲームコントローラーのトリガキー構造を提供することにある。すなわち、従来の技術に存在する欠点及び不足に対し、キーストロークの調整が可能なゲームコントローラーのトリガキー構造を提供する。
【課題を解決するための手段】
【０００６】
上記課題を解決するために、本考案のある態様のゲームコントローラーのトリガキー構造は、ゲームコントローラーのハウジングに装設されるものであって、前記ハウジングに枢着されると共に前記ハウジングの表面から突出し、初期位置とトリガー位置との間で揺動可能である押圧部と、前記ハウジング内に装設され、前記押圧部に対向するように設置されるトリガー部と、前記ハウジング内に装設され、前記トリガー部に連結されるキーストローク調整部とを備え、前記押圧部が前記初期位置にある場合、前記トリガー部と前記押圧部との間には所定のキーストロークが存在し、前記押圧部が押圧されると、前記押圧部が前記初期位置から前記トリガー位置に向けて揺動すると共に前記トリガー部に当接されてトリガーされ、これにより対応する操作指示が実行され、前記キーストローク調整部は、複数段の調整位置を有し、前記キーストローク調整部が異なる段の前記調整位置にある場合、前記トリガー部と前記押圧部との間に存在する前記所定のキーストロークが異なる。
【考案の効果】
【０００７】
以上のように、本考案のゲームコントローラーのトリガキー構造は、トリガー部に連結されると共に複数段の調整位置を有するキーストローク調整部が設置されることにより、キーストローク調整部が異なる段の調整位置にある場合、トリガー部と押圧部との間に存在する所定のキーストロークが異なるため、様々なゲームのニーズに応じて使用可能になる。
【図面の簡単な説明】
【０００８】
【図１】従来のゲームコントローラーのトリガキー構造を示す概略図である。
【図２】本考案のゲームコントローラーのトリガキー構造がゲームコントローラに取付けられる斜視図である。
【図３】図２に示すゲームコントローラーのトリガキー構造がゲームコントローラに取付けられる底面図である。
【図４】本考案のゲームコントローラーのトリガキー構造及び上部ハウジングを示す斜視図である。
【図５】本考案のゲームコントローラーのトリガキー構造のトリガー部がキーストローク調整部に取付けられる斜視図である。
【図６】図５に示すトリガー部及びキーストローク調整部の分解斜視図である。
【図７】図５に示すトリガー部及びキーストローク調整部の他の角度の斜視図である。
【図８】図５に示すトリガー部及びキーストローク調整部の他の角度の分解斜視図である。
【図９】図５に示すキーストローク調整部の摺動部の分解斜視図である。
【図１０】図５に示すキーストローク調整部が短いキーストロークに調整される場合の状態図である。
【図１１】本考案のゲームコントローラーのトリガキー構造のトリガー部が長いキーストロークに調整される場合の概略図である。
【図１２】本考案のゲームコントローラーのトリガキー構造のトリガー部が短いキーストロークに調整される場合の概略図である。
【図１３】本考案のゲームコントローラーのトリガキー構造の押圧部が上部ハウジングに取付けられる斜視図である。
【図１４】図１３に示す押圧部及び上部ハウジングの分解斜視図である。
【考案を実施するための形態】
【０００９】
以下、本考案に係るゲームコントローラーのトリガキー構造の実施の形態を図面に基づいて詳細に説明する。なお、本考案は各実施の形態により限定されるものではない。
【００１０】
本考案のゲームコントローラーのトリガキー構造は、ゲームコントローラー１００のハウジング１０に装設され、メインボード２０と、枢接ピン３０と、押圧部４０と、トーションばね５０と、トリガー部６０と、キーストローク調整部７０とを備える（図２、図４及び図１３参照）。
【００１１】
図２〜図１４において、各図面中の座標のＦ方向が前と定義され、Ｆ方向と反対の方向が後と定義され、座標のＴ方向が上と定義され、Ｔ方向と反対の方向が下と定義され、座標のＲ方向が右と定義され、Ｒ方向と反対の方向が左と定義される。
【００１２】
また、前記ゲームコントローラー１００のハウジング１０は相互に係合される上部ハウジング１１及び下部ハウジング１２を備え、上部ハウジング１１及び下部ハウジング１２内部にはキャビティ１３が形成される。前記メインボード２０はゲームコントローラー１００のハウジング１０のキャビティ１３に内設される。前記上部ハウジング１１の内側壁から下に向けて枢接台座１１１が突出し、前記枢接台座１１１には枢接孔１１２が開設される。前記枢接ピン３０は枢接孔１１２内に固設される。前記下部ハウジング１２には枢接台座１１１に対応するように押圧部収容溝１２１が開設され、前記下部ハウジング１２には調整孔１２２が更に開設される（図２、図３、図４、図１３及び図１４参照）。
【００１３】
前記押圧部４０は前記ハウジング１０に枢着されると共にハウジング１０の表面から突出する。本実施形態では、前記押圧部４０は枢接ピン３０に枢着されると共に押圧部収容溝１２１内に収容され、前記押圧部４０には後に向けて押圧ピン４１が凸設される。前記トーションばね５０はばね部５１と、第一ばね５２と、第二ばね５３とを有し、前記ばね部５１も枢接ピン３０に枢着され、前記第一ばね５２は枢接台座１１１に弾性当接され、前記第二ばね５３は押圧部４０に弾性当接される。
【００１４】
前記トリガー部６０はハウジング１０内に装設され、押圧部６０に対向するように設置される。前記トリガー部６０はキー用回路基板６１と、導電ペーストボタン６２と、固持部材６３とを備える。前記キー用回路基板６１はメインボード２０に電気的に接続され、前記導電ペーストボタン６２はキー用回路基板６１における押圧部４０に対向する側面（すなわち、キー用回路基板６１の前側面）に設置される。前記固持部材６３は挟持基板６３１を有し、挟持基板６３１の中間部には円形の孔部６３２が開設され、前記挟持基板６３１の４つの辺縁の何れもが後に向けて折曲され、かつ延出することにより挟持側板６３３が形成される。前記固持部材６３は導電ペーストボタン６２をキー用回路基板６１に固持するために用いられる。本実施形態では、前記挟持基板６３１は導電ペーストボタン６２の前表面に設置され、前記導電ペーストボタン６２の中間部は孔部６３２の箇所から露出され、前記各挟持側板６３３はキー用回路基板６１の対応する側壁にそれぞれ固設される（図２、図４及び図６参照）。
【００１５】
図２、図４、図６、図１１〜図１４に示すように、第二ばね５３の弾力が解放される際に押圧部４０に弾性当接されることによる押圧部４０の位置は初期位置と定義され、初期位置において、トリガー部６０と押圧部４０との間に所定のキーストロークが存在する。押圧部４０の押圧ピン４１がトリガー部６０に当接されてキー用回路基板６１の回路がトリガーされる際の位置はトリガー位置と定義され、前記押圧部４０は初期位置とトリガー位置との間で揺動可能である。押圧部４０が押圧されると、押圧部４０は初期位置からトリガー位置まで揺動されると共にトリガー部４０に当接されてトリガーされ、これにより対応する操作指示が実行される。本実施形態では、押圧部４０の押圧ピン４１が導電ペーストボタン６２に当接されることによりキー用回路基板６１の回路がトリガーされる。
【００１６】
前記キーストローク調整部７０はハウジング１０のキャビティ１３内に装設され、トリガー部６０に連結され、複数段の調整位置を有する。キーストローク調整部７０が異なる段の調整位置にある場合、トリガー部６０と押圧部４０との間に存在するキーストロークが異なる。本実施形態では、前記キーストローク調整部７０は固定部７１と、摺動部７２と、調整ブロック７３と、復帰部材７４と、カバー部７５とを備える。前記固定部７１の中間部には収容溝７１１が凹設され、前記収容溝７１１の両側壁には滑り溝７１２が開設される。前記固定部７１の底面には収容溝７１１に連通される位置限定スロット７１３が開設される。前記固定部７１の両側面から外に向けて取付部７１４がそれぞれ突出し、前記取付部７１４には取付孔７１５が開設される。前記固定部７１は取付孔７１５によりハウジング１０の下部ハウジング１２に固設される。
【００１７】
図２〜図９に示すように、前記摺動部７２は押圧部４０に対して前後に摺動可能となるように固定部７１に装設される。本実施形態では、前記摺動部７２は収容溝７１１内に装設される底板７２１を有し、前記底板７２１の両側は滑り溝７１１内に装設される。前記トリガー部６０は摺動部７２に固設されると共に押圧部４０に対向する一側に設置され、前記摺動部７２における押圧部４０に対向する一側に傾斜する調整面７２６が設けられ、前記調整面７２６には複数段の調整位置に対応するように複数の位置決め係合溝が間隔を置いて設けられる。本実施形態では、前記底板７２１には直立板７２２が凸設され、前記調整面７２６は直立板７２２における押圧部４０に対向する側面に設置される（すなわち、直立板７２２の後側面）。具体的には、前記直立板７２２における押圧部４０に対向する側面に台形を呈するガイドブロック７２３が凸設され、前記ガイドブロック７２３は２つの傾斜面７２４及び２つの傾斜面に連続される平面７２５を備え、前記調整面７２６は凸部７２３の２つの傾斜面７２４及び平面７２５から内に向けて窪むように形成され、前記調整面７２６の両端のそれぞれにおける直立板７２２に連結される箇所に位置決め係合溝が設けられ、前記２つの位置決め係合溝が第一位置決め係合溝７２７と定義される。前記調整面７２６における凸部７２３の平面７２５の箇所にも位置決め係合溝が設けられ、前記位置決め係合溝は第二位置決め係合溝７２８と定義される。前記直立板７２２における押圧部４０に対向する側面（すなわち、直立板７２２の前側面）には固定溝７２９が開設され、前記トリガー部６０は固定溝７２９内に係合される。前記底板７２１における押圧部４０に対向する側面の両側にはそれぞれガイドピン７２９１が凸設され、前記底板７２１の上表面には位置限定ブロック７２９２が凸設され、前記位置限定ブロック７２９２は位置限定スロット７１３内に収容される。
【００１８】
前記調整ブロック７３は本体部７３１及びキーストローク調整キャップ７３２を備える。前記本体部７３１は左右方向に横方向に摺動可能となるように固定部７１の下方に装設されると共に摺動部７２の調整面７２６の後方に設置される。前記本体部７３１の下表面には調整ボタン７３３が設置され、前記本体部７３１におけるガイドブロック７２３に対応する側面から内に向けて窪むようにガイド凹部７３４が形成され、前記本体部７３１は、ガイド凹部７３４の一側から調整面７２６に対向する凸部７３５が凸設される。前記複数段の調整位置の内の１つの調整位置において、前記ガイドブロック７２３がガイド凹部７３４内に収容され、前記凸部７３５が調整面７２６の両端の対応する位置決め係合溝内に収容される。本実施形態では、前記凸部７３５はガイド凹部７３４の右側から凸設されると共に右側の第一位置決め係合溝７２７内に収容される。前記キーストローク調整キャップ７３２は調整基板７３６を有し、調整基板７３６の下表面の中央部には調整部７３７が凸設される。調整基板７３６の上表面における調整部７３７に対応する箇所には係合凸部７３８が凸設され、係合凸部７３８の上表面には内に向けて係合溝７３９が開設される。前記調整基板７３３は調整ブロック７３の下方に設置され、前記調整ボタン７３２は係合溝７３９内に係合され、前記調整部７３７は調整孔１２２内に収容されると共にハウジング１０から露出される。
【００１９】
前記カバー部７５は上部カバー板７５１及び４つの側板７５２で囲まれるように形成され、前記カバー部７５は固定部７１、摺動部７２、調整ブロック７３、及び復帰部材７４の外部に覆設される。本実施形態では、前記上部カバー板７５１は固定部７１の上表面に設置され、前記４つの側板７５２は固定部７１の４つの側面にそれぞれ覆設される。固定部７１の後側面を覆設する側板７５２は他の３つの側板７５２より高く、摺動部７２の調整面７２６に整合可能である。これにより、調整ブロック７３の移動方向が制限され、調整ブロック７３が左右方向にのみ横方向に移動可能になる。前記復帰部材７４は摺動部７２に設置され、摺動部７２を復帰させるために用いられる。本実施形態では、前記復帰部材７４は２つのばねで構成され、前記２つのばねはガイドピン７２９１にそれぞれ装設され、前記２つのばねの一端は底板７２１にそれぞれ弾性当接され、前記２つのばねの他端はカバー部７５の対応する側板７５２にそれぞれ弾性当接され、２つのばねが弾性当接される側板７５２には２つのガイドピン７２９１に対応するようにガイド孔７５３がそれぞれ開設される。前記カバー部７５における取付部７１２に対応する側板７５２には切欠部７５４が開設され、前記取付部７１２は切欠部７５４からカバー部７５の外に突出する。
【００２０】
図３、図６〜図１４に示すように、本考案に係るゲームコントローラーのトリガキー構造の所定のキーストロークの調整過程は以下のとおりである。押圧部４０の押圧ピン４１の末端とトリガー部６０の導電ペーストボタン６２との間に長い所定のキーストロークが存在する場合、調整部７３７は調整孔１２２の左側に設置され、ガイドブロック７２３はガイド凹部７３４内に収容され、凸部７３５は右側の第一位置決め係合溝７２７内に係合され、ばねが底板７２１に弾性当接されて位置限定ブロック７２９２が位置限定スロット７１３の溝壁に当接される。使用者が短いキーストロークを使用しようとする場合、調整部７３７を抜いて調整ブロック７３を連動させて右側に向けて移動させると、凸部７３５が調整面７２６に沿って第二位置決め係合溝７２８内に係合されるまで摺動し、凸部７３５により摺動部７２が押されて押圧部４０に向けて（すなわち、前に向けて）摺動し、ガイドピン７２９１がガイド孔７５３内に進入し、底板７２１がばねに当接されて圧縮させると共に付勢させる。この際、押圧部４０の押圧ピン４１の末端と導電ペーストボタン６２との間に短い所定のキーストロークが存在する。調整部７３７を抜いて長い所定のキーストローク状態に戻すと、ばねの弾力により摺動部７２が押されて初期位置に戻る。
【００２１】
上述したように、本考案のゲームコントローラーのトリガキー構造は、トリガー部６０に連結されると共に複数段の調整位置を有するキーストローク調整部７０が設置されることにより、キーストローク調整部７０が異なる段の調整位置にある場合、トリガー部６０と押圧部４０との間に存在する所定のキーストロークが異なるため、様々なゲームのニーズに応じて使用可能になる。
【符号の説明】
【００２２】
１００    ゲームコントローラー
１０      ハウジング
１１      上部ハウジング
１１１    枢接台座
１１２    枢接孔
１２      下部ハウジング
１２１    押圧部収容溝
１２２    調整穴
１３      キャビティ
２０      メインボード
３０      枢接ピン
４０      押圧部
４１      押圧ピン
５０      トーションばね
５１      ばね部
５２      第一ばね
５３      第二ばね
６０      トリガー部
６１      キー用回路基板
６２      導電ペーストボタン
６３      固持部材
６３１    挟持基板
６３２    孔部
６３３    挟持側板
７０      キーストローク調整部
７１      固定部
７１１    収容溝
７１２    滑り溝
７１３    位置限定スロット
７１４    取付部
７１５    取付孔
７２      摺動部
７２１    底板
７２２    直立板
７２３    ガイドブロック
７２４    傾斜面
７２５    平面
７２６    調整面
７２７    第一位置決め係合溝
７２８    第二位置決め係合溝
７２９    固定溝
７２９１  ガイドピン
７２９２  位置限定ブロック
７３      調整ブロック
７３１    本体部
７３２    キーストローク調整キャップ
７３３    調整ボタン
７３４    ガイド凹部
７３５    凸部
７３６    調整基板
７３７    調整部
７３８    係合凸部
７３９    係合溝
７４      復帰部材
７５      カバー部
７５１    上部カバー板
７５２    側板
７５３    ガイド孔
７５４    切欠部
【図１】
0003217372.tif 000003
【図２】
0003217372.tif 000004
【図３】
0003217372.tif 000005
【図４】
0003217372.tif 000006
【図５】
0003217372.tif 000007
【図６】
0003217372.tif 000008
【図７】
0003217372.tif 000009
【図８】
0003217372.tif 000010
【図９】
0003217372.tif 000011
【図１０】
0003217372.tif 000012
【図１１】
0003217372.tif 000013
【図１２】
0003217372.tif 000014
【図１３】
0003217372.tif 000015
【図１４】
0003217372.tif 000016